(57)【特許請求の範囲】
【請求項１】
家具本体と、家具本体の少なくとも表面側において使用者の荷重を受けて支持する張り地と、家具本体に設けられその張り地に張力を付与した状態に支持する支持部とを具備してなり、
支持部が、家具本体に前記張り地の上端部及び下端部を固定して設けた固定支持部と、この固定支持部に対して移動可能に家具本体に設けた可動支持部とからなり、これら固定支持部及び可動支持部の間に張力を掛けた状態に張り地を支持させているものであって、
前記可動支持部による張り地の支持位置を変化させることによって、張り地において使用者の荷重を実質的に支持し得る有効支持領域の大きさを変更し得るように構成していることを特徴とする家具。
【請求項２】
可動支持部が、張り地の一部を厚み方向に挟み込んで支持する挟持部を備えていることを特徴とする請求項１記載の家具。
【請求項３】
挟持部を、水平支軸廻りに回動可能な一対のローラを備えたものとし、当該一対のローラが張り地を厚み方向に挟み込むものとしている請求項２記載の家具。
【請求項４】
家具本体が使用者を着座させるための椅子本体であり、張り地が椅子本体の背もたれ部の前面側を構成するものであって、可動支持部を背もたれ部の上端部側に設定していることを特徴とする請求項２又は３記載の家具。
【請求項５】
家具本体が使用者を横臥させるためのベッド本体であり、張り地がベッド本体の上面側を構成するものであることを特徴とする請求項１、２、３又は４記載の家具。
【発明の詳細な説明】
【０００１】
【発明の属する技術分野】
本発明は、使用者の体格に対応してその体を支持する支持面の大きさを変更する必要がある椅子やベッド等の家具に関するものである。
【０００２】
【従来の技術】
椅子やベッド等、使用者の体の荷重を受ける家具においては、体を適切に支持することができる有効支持面の位置が使用者の体格に合っていなければ、使用者は窮屈な姿勢を強いられるなど不自然な格好となっって安定した使用感を得ることができない。そのために例えば椅子においては、使用者の背中を支持するための背もたれ部を上下移動可能に構成し、その背もたれ部全体を上下に移動させることで、背もたれ部の高さ位置を使用者の体格に合わせて変化させるようにしたものが知られている。
【０００３】
【発明が解決しようとする課題】
ところが、このような椅子であると、背もたれ部は使用者の体格に応じて上下させることができるものの、実質的に背中を支持することができる背もたれ部の有効支持領域の大きさが変化するものではない。したがって、例えば背もたれ部をあまりに高位置まで移動させると、使用者の腰を背もたれ部でサポートすることができなくなるという不具合が生じる。また、背もたれ部全体を上下動作させるには相応の大きな機構部品が必要となるため、椅子の大型化や重量化を招く可能性もある。
【０００４】
本発明は、以上のような不具合に鑑みて、上述のような椅子に限らず、使用者の荷重を支持する必要のある家具において、体を実質的に支持することができる有効支持領域の大きさを変化させることで、快適な使用感が得られる家具を構成することを目的としている。
【０００５】
そこで本発明は、家具本体と、家具本体の少なくとも表面側において使用者の荷重を受けて支持する張り地と、家具本体に設けられその張り地に張力を付与した状態に支持する支持部とを具備してなり、支持部が、家具本体に前記張り地の上端部及び下端部を固定して設けた固定支持部と、この固定支持部に対して移動可能に家具本体に設けた可動支持部とからなり、これら固定支持部及び可動支持部の間に張力を掛けた状態に張り地を支持させているものであって、前記可動支持部による張り地の支持位置を変化させることによって、張り地において使用者の荷重を実質的に支持し得る有効支持領域の大きさを変更し得るように構成したものである。
【０００６】
このような構成の家具を、使用者の体格に対応させることが望ましい椅子やベッド等に適用すると、使用者を実質的に支持できる張り地における有効支持領域の大きさを体格に応じて調節できるため、使用者は不自然な姿勢をとることなく快適な使用感を得ることができることになる。
【０００７】
特に本発明は上述の通り、張り地に対する支持位置の変更を容易に行うために、支持部が、家具本体に前記張り地の上端部及び下端部を固定して設けた固定支持部と、この固定支持部に対して移動可能に家具本体に設けた可動支持部とからなり、これら固定支持部及び可動支持部の間に張力を掛けた状態に張り地を支持させている。
【０００８】
さらにまた、可動支持部が、張り地の一部を厚み方向に挟み込んで支持する挟持部を備えている構成のものが、有効な実施態様である。
【０００９】
具体的な実施の態様には、挟持部を、水平支軸廻りに回動可能な一対のローラを備えたものとし、当該一対のローラが張り地を厚み方向に挟み込むものが挙げられる。
【００１６】
以上のような構成の家具に椅子を適用した場合には、家具本体を使用者を着座させるための椅子本体とし、張り地を椅子本体の背もたれ部の前面側を構成するものとして、可動支持部を背もたれ部の上端部側に設定した固定支持部の上端部側に設けることによって、背もたれ部における有効支持領域の大きさを使用者の背中の高さに容易に対応させられる有用な椅子を構成することができる。
【００１７】
また、家具としてベッドを適用した場合には、家具本体を使用者が横臥するためのベッド本体として、張り地がベッド本体の上面側を構成するものとすれば、使用者の身長に対応してベッド本体の上面の大きさを変更できる有用なベッドを構成することが可能となる。
【００１８】
【発明の実施の形態】
以下、本発明の実施形態を、図面を参照して説明する。
【００１９】
（比較例）
図１に本比較例に係る家具として適用した椅子Ａ１を示す。この椅子Ａ１は、家具本体として背もたれ部Ａ１ａ、座部Ａ１ｂ及びそれらを支持する脚部Ａ１ｃを備えた椅子本体を具備するものであって、背もたれ部Ａ１ａに着座者の背中から受ける荷重を支持する張り地１を設けている。なお、座部Ａ１ｂ及び脚部Ａ１ｃにはいかなる構成のものを適用してもよく、本比較例において格別の特徴を有するものではないため説明を省略するものとする。
【００２０】
本比較例における背もたれ部Ａ１ａは、図１及び図２に示すように、張り地１において着座者の背中を実質的に支持し得る有効支持領域Ｘ１の上下方向の大きさを変更できるように構成したものである。具体的に説明すると、背もたれ部Ａ１ａは、脚部Ａ１ｂその他の適宜部位に下端部２ｂを支持させたパイプ状をなす固定支持部２と、この固定支持部２の上端部２ａ側にテレスコープ状に嵌め合わせたパイプ状の可動支持部３とを備えており、これら固定支持部２及び可動支持部３によって張り地１を支持する支持部Ｚ１を構成している。可動支持部３は、上述のように固定支持部２に嵌め合わせることによって上下スライド可能に固定支持部２に支持されており、そのスライド状態を図示しないロック手段を介して任意の位置でロックできるようにしている。また、固定支持部２の下端部２ｂ側には、基端を固定支持部２に取り付けて先端を固定支持部２の前上方へ湾曲させつつ迫り出させたサポート部材２３を設けている。一方、可動支持部３のうち側面視「く」字型に屈曲させた上端部３ａにも、弓形に湾曲させたサポート部材３３を設けており、これらサポート部材２３、３３の前面側に、伸縮性に乏しい張り地１を掛け渡すように設けている。
【００２１】
この張り地１を取り付けるに際して、固定支持部２には側面に開口し上下に延びる長孔２１を形成するとともに、可動支持部３には前記長孔２１内に位置づけて滑車３２を設けている。滑車３２は、長孔２１を貫通して可動支持部３に架け渡したピン３２ａに支持されている。また、可動支持部３の上端部３ａには、水平軸回りに回転可能なローラ３１を取り付けている。そして、背もたれ部Ａ１ａの表面側における張り地１の一端部（使用端部１ａと称する）を固定支持部２の下端部２ｂ等の適宜位置に固定するとともに、この張り地１を上下のサポート部材２３、３３に沿って伸展して可動支持部３のローラ３１を介して下方に折り返し、更に滑車３２に掛け回して、最終的に他端部（反使用端部１ｂと称する）を固定支持部２の上端部２ａ近傍に設けた取付部２２に固定している。なお、可動支持部３の上端部３ａ側には上方に開口する貫通孔３４を形成しており、ローラ３１で折り返した張り地１の反使用端部１ｂ側をこの貫通孔３４から可動支持部３及び固定支持部２の内部に収容するようにしているため、滑車３２への掛け回し箇所や取付部２２への固定箇所は全て外部から見えないようにして外観の向上を図っている。
【００２２】
このように張り地１を取り付けることによって、例えば図１（実線）及び図２（ａ）に示す降下位置にある可動支持部３を固定支持部に沿って上動させると、その略２倍の速度で張り地１が貫通孔３４から繰り出され、さらにローラ３１を介して背もたれ部Ａ１ａの表面側となる使用位置側へ繰り出される。その結果、張り地１のうち使用位置側において着座者の背中を有効に支持し得る有効支持領域Ｘ１の上下方向寸法が、可動支持部３の上動速度と略同速度で上方に向かって拡大する。逆に、図１（想像線）及び図２（ｂ）に示す上昇位置にある可動支持部３を下動させると、その略２倍の速度で滑車３２が張り地１を巻き込むとともに、ローラ３１を介して張り地１が可動支持部３の下動速度と略等速で使用位置側から引き揚げられる結果、有効支持領域Ｘ１の上下方向寸法が、可動支持部３の下動速度と略同速度で下方に向かって縮小する。すなわち本比較例の椅子Ａ１は、張り地１の一部が可動支持部３の上動動作に伴って順次使用位置側へと繰り出され、一方、可動支持部３の下動動作に伴って使用位置側から引き出されるため、上下のサポート部材２３、３３間には可動支持部３の位置を問わずに常に適切な量の張り地１をテンションを掛けた状態に架け渡しておくことができる。
【００２３】
以上のように家具として椅子Ａ１を適用したものであると、その背もたれ部Ａ１ａにおいて使用者たる着座者がもたれ掛けるための張り地１の上下方向寸法、すなわち実質的に着座者の背中を支持できる有効支持領域Ｘ１の上下幅寸法を体格に応じて調節することができ、しかもその際従来のように背もたれ部全体を上下動作させる場合のように着座者の腰を支持すべき箇所に隙間が生じてしまう不具合も生じることがない。
【００２４】
特に、張り地１を支持する支持部Ｚ１を、家具本体たる椅子本体の背もたれ部Ａ１ａに形成した固定支持部２と可動支持部３とから構成し、これら固定支持部２と可動支持部３との間に張り地１を張っているので、可動支持部３の固定支持部２に対する移動に伴った張り地１の有効支持領域Ｘ１の大きさ変更を適正且つ容易に行うことが可能である。
【００２５】
そしてその際、張り地１の一部を、可動支持部３が固定支持部２に対して上下動作するのに伴って使用位置側へ繰り出され、あるいは使用位置側から引き出されるように固定しているため、本比較例の張り地１が伸縮性の乏しいものであるにも拘わらず、可動支持部３を固定支持部２に沿ったいかなる位置に調節しても、常に必要な量の張り地１をテンションを掛けた状態で使用位置側へ繰り出しておき、着座者の背中を適切に支持することが可能である。
【００２６】
そのための具体的構造として、張り地１の使用端部１ａ側を固定支持部２に固定するとともに、可動支持部３の上端部３ａで一度折り返し更にもう一度可動支持部３の他の部位で折り返して反使用端部１ｂ側を固定支持部２に固定するようにしているので、このような簡素な構造でも可動支持部３の動作に対応した速度で張り地１を繰り出しあるいは引き出すことが容易にできる。特に、張り地１の折り返し位置に対応する可動支持部３には滑車３２やローラ３１を設けているため、張り地１の繰り出し時、引き出し時における滑りが良好となり、その動作の確実性を向上することが可能である。
【００２７】
さらに、可動支持部３と固定支持部２とはテレスコープ状に嵌め合わされているので、可動支持部３の動作をより安定させて見栄えも向上することができる。
【００２８】
なお、本比較例においては、張り地１を滑車３２に直接巻き掛けた上記の構造だけでなく、以下に述べるような構造であっても同様の効果を得ることができる。なお、上述の比較例と同一部材については同一の符号を附して説明する。
【００２９】
すなわち、その一例として図３に示すものは、上述した比較例と同様の椅子の背もたれ部Ａ２ａを拡大したものである。上記と異なる点を具体的に説明すると、張り地２１０の使用端部２１０ａから反使用端部２１０ｂまでの寸法を上記のものよりも短く設定しており、その反使用端部２１０ｂに紐状をなす牽引具２４０の端部２４０ａを取り付けている。この牽引具２４０にはワイヤーや糸等を適用しており、その他にもベルト状のものを適用することもできる。そして、張り地２１０の反使用端部２１０ｂを可動支持部３の上端部３ａに設けたローラ３１に掛け回して折り返した後、牽引具２４０を滑車３２に掛け回すとともにその他方の端部２４０ｂを固定支持部２の取付部２２に固定している。なお、張り地２１０の使用端部２１０ａ側における取付構造は上記第１の比較例と同様である。このように張り地２１０を取り付けることによっても、図３（ａ）に示す降下位置にある可動支持部３を上動させると、上述の比較例における張り地１の場合と同様に牽引具２４０が滑車から繰り出され、それに伴って張り地２１０が使用位置側へ繰り出される。逆に、図３（ｂ）に示す上昇位置にある可動支持部３を下動させると、滑車３２が牽引具２４０を巻き込むのに伴って、張り地２１０が使用位置側から引き揚げられる。その結果、張り地２１０の有効支持領域Ｘ２の上下方向寸法が拡縮することになる。また、この変形例では、上記第１の比較例と同様の効果を奏するにも拘わらず、使用する張り地２１０の面積を必要最小限にできるため、その分のコストを有効に削減することができる。
【００３０】
さらにその他の変形例としては、図４に示すようなものも挙げることができる。このものも、椅子の背もたれ部Ａ３ａを拡大して示したものであり、張り地３１０の使用端部３１０ａ側の取付構造は上記と同様である。そして、張り地３１０の反使用端部３１０ｂを可動支持部３のローラ３１に掛け回して折り返した後、弾性部材の一種であるバネ３４０の上端部３４０ａに取り付けている。このバネの下端部３４０ｂは固定支持部２に固定している。このような構成で張り地３１０を取り付けたものであっても、図４（ａ）に示す降下位置にある可動支持部３を固定支持部２に沿って上動させると、バネ３４０の弾性力に抗して張り地３１０が可動支持部３に持ち上げられ、ローラ３１を介して背もたれ部Ａ３ａの表面側となる使用位置側へ繰り出される。逆に、図４（ｂ）に示す上昇位置にある可動支持部３を下動させると、蓄えられたバネ３４０の復元力によって、張り地３１０がローラ３１を介して使用位置側から引き揚げられる。その結果、張り地３１０の有効支持領域Ｘ３の上下方向寸法が拡縮することになる。また、この変形例でも、使用する張り地３１０の面積を必要最小限にして、コストの削減を図ることができる。
【００３１】
（実施形態）
図５に、本実施形態に係る家具として適用した椅子Ａ４を示す。この椅子Ａ４も、家具本体たる椅子本体として背もたれ部Ａ４ａ、座部Ａ４ｂ及びそれらを支持する脚部Ａ４ｃを具備するものであって、背もたれ部Ａ４ａに着座者の背中から受ける荷重を支持する張り地４１０を設けている。なお、座部Ａ４ｂ及び脚部Ａ４ｃについては説明を省略する。
【００３２】
背もたれ部Ａ４ａは、脚部Ａ４ｂその他の適宜部位に下端部４２０ｂを支持させた略一直線状に起立する固定支持部４２０と、この固定支持部４２０に沿ってスライド移動可能に取り付けた可動支持部４３０とを備えており、これら固定支持部４２０及び可動支持部４３０によって張り地４１０を張った状態に支持する支持部Ｚ４を構成し、可動支持部４３０のスライド状態を図示しないロック手段を介して任意の位置でロックできるようにしている。そして、可動支持部４３０は、水平支軸回りに回転可能な一対のローラ４３１、４３２を備えている。これらローラ４３１、４３２は、後述する張り地４１０を厚み方向に挟み込む挟持部Ｙを構成するものである。また、固定支持部４２０の下端部４２０ｂには、前記比較例と同様のサポート部材４２３を設けている。
【００３３】
そして、張り地４１０は、前記第１の実施形態と同様に伸縮性に乏しいものであって、その下端部４１０ａを固定支持部４２０の下端部４２０ｂに取り付けてサポート部材４２３の前面側に架け渡すとともに、上端部４１０ｂを固定支持部４２０の上端部４２０ａに取り付けている。その際、張り地４１０を、上端部４１０ｂと下端部４１０ａとの間において可動支持部４３０の一対のローラ４３１、４３２の間を通過させている。このようにすることで、張り地４１０は、サポート４２３部材とローラ４３１、４３２間を通過する部位との間でテンションを掛けた状態に支持されることになり、その張られた領域を着座者の背中を有効に支持することができる有効支持領域Ｘ４としている。
【００３４】
このような構成からなる椅子Ａ４において、着座者の体格に応じて可動支持部４３０を固定支持部４２０に沿って上下にスライド移動させると、可動支持部４３０に設けたローラ４３１、４３２の高さ位置も変わることになり、その結果、張り地の４１０テンションが掛かったサポート部材４２３から一対のローラ４３１、４３２に挟まれた挟持部Ｙまでの距離、すなわち、同図に実線及び想像線で示すように有効支持領域Ｘ４の上下方向寸法を容易に調節することができる。
【００３５】
なお、本発明は上述した各実施形態に限られるものではなく、家具として椅子に適用した場合に、背もたれ部の構成要素となる張り地を伸縮可能な素材から構成するとともに、その張り地を固定支持部及び可動支持部に支持させて、可動支持部を固定支持部に対して上下に移動することで張り地が伸縮し、その結果張り地の有効支持領域を着座者の体格に対応して変更するようにもすることができる。その他、このような固定支持部と可動支持部並びに張り地の関係を、椅子の座部に適用して、張り地に着座者が有効に腰掛けることができるその張り地の有効支持領域を調節するようにしても良いし、家具としてベッドを適用した場合にも、使用者が体格に応じて横臥することができるベッド上面の有効支持領域を変更するようにしたものであっても構わない。
【００３６】
その他、各部の具体的構成は、上記実施形態に限られるものではなく、本発明の趣旨を逸脱しない範囲で種々変形が可能である。
【００３７】
【発明の効果】
本発明は、以上説明したような形態で実施され、以下に記載されるような効果を奏する。
【００３８】
すなわち、本発明の家具は、使用者を支持する有効支持領域の大きさを体格に応じて調節する必要がある家具を構成するに当たって、使用者の荷重を直接受ける張り地を張った状態に支持するための支持部によるその張り地の支持位置を変化させるように構成したものである。したがって、張り地における有効支持領域を体格に応じた大きさに調節することで、背もたれ全体が上下動する従来の椅子のように使用者を支持すべき部位の一部に隙間が生じるなどの不具合を解消でき、使用者に不自然な姿勢をとらせず快適な使用感を与えることが可能である。
【００３９】
支持部を、家具本体に固定した固定支持部及び固定支持部に対して移動可能に設けた可動支持部とを有するものとして、これら固定支持部及び可動支持部の間に張り地を張っている場合には、支持部による張り地の支持位置を容易に変更し、張り地の有効支持領域全体で使用者の体を的確にサポートすることができる。
【００４０】
張り地の一部が可動支持部の移動に伴って使用位置側へ繰り出され、あるいは逆に使用位置側から引き出されるように構成すれば、特に張り地が伸縮性に乏しいものであっても、可動支持部の位置に拘わらず常にテンションを掛けた状態で張り地を必要な分だけ使用位置に繰り出しておくことができる。
【００４１】
そのための具体的構成として、張り地の使用端部側を固定支持部側に取り付け、反使用端部側を可動支持部の一部で折り返し、更に可動支持部の他の部位でもう一度折り返した位置で固定支持部に取り付けておけば、上述のような機能を簡素な構造且つ良好な外観で実現することができる。また、張り地の使用端部側は同様の構成であって、反使用端部側に紐状又はベルト状の牽引具を取り付けた場合、反使用端部側を可動支持部の一部で折り返し、更に前記牽引具を可動支持部の他の部位で折り返した位置で固定支持部に取り付けることによっても、同様の効果が得られる。あるいは、反使用端部側を可動支持部の一部で折り返し、更にその反使用端部を固定支持部に設けた弾性部材に取り付けても同様に有効な上記機能を実現することができる。特にこれらのような場合に、張り地の折り返し位置に該当する可動支持部に滑車を設け、その滑車に張り地を掛け回した位置で折り返すようにすることで、可動支持部の移動に伴った張り地の滑りを良好なものとして、張り地に適正なテンションを掛けることができる。
【００４２】
さらにまた、可動支持部を、張り地の一部を厚み方向に挟み込んで支持する挟持部を備えたものとしても、上述した各構成と同様に、張り地を張った状態のまま必要量を使用位置に繰り出すことが可能である。
【００４３】
その他、特に張り地が伸縮可能なものであれば、張り地の使用端部を固定支持部に取り付け、反使用端部を可動支持部に取り付けることで、張り地にテンションを掛けた状態でその有効支持領域の大きさを容易に調節することができる。
【００４４】
特に、可動支持部と固定支持部とをテレスコープ状に嵌め合わせた構造とすれば、コンパクトで良好な外観と動作を実現することが可能である。
【００４５】
以上のような構成の家具が椅子である場合、張り地を家具本体たる椅子本体の背もたれ部の背もたれ面を構成するものとして、可動支持部を背もたれ部の下端部側に設定した固定支持部の上端部側に設けることによって、背もたれ面の有効支持領域の上下方向の大きさを使用者の体格に合わせて容易に対応させられることになるため、極めて有用な椅子とすることができる。
【００４６】
さらに、家具がベッドである場合には、張り地を家具本体たるベッド本体の上面側を構成するものとすれば、例えば使用者の頭に対応するベッド本体の部位に固定支持部を設けるとともに足に対応する部位に可動支持部を設けるなどすることで、ベッド本体の上面の寸法を使用者の身長に対応して容易に変更できる有用なベッドを構成することができる。
【図面の簡単な説明】
【図１】本発明の家具を椅子に適用した第１の実施形態を示す側面図。
【図２】同実施形態の要部を拡大して作用を説明する側面図。
【図３】同実施形態における他の変形例を図２に対応して示す側面図。
【図４】同実施形態におけるさらに他の変形例を図２に対応して示す側面図。
【図５】本発明の家具を椅子に適用した第２の実施形態を示す側面図。
【符号の説明】
Ａ１、Ａ４…家具（椅子）
Ｘ１、Ｘ２、Ｘ３、Ｘ４…有効支持領域
Ｙ…挟持部
Ｚ１、Ｚ４…支持部
１…張り地
１ａ…使用端部
１ｂ…反使用端部
２…固定支持部
３…可動支持部
２４０…牽引具
３４０…弾性部材（バネ）
【図１】
0004057231.tif 000002
【図２】
0004057231.tif 000003
【図３】
0004057231.tif 000004
【図４】
0004057231.tif 000005
【図５】
0004057231.tif 000006